(57)【要約】【課題】発光管の適切な温度調整を可能とする光源装置、及びその光源装置を有するプロジェクターを提供すること。【解決手段】光を射出する発光部を備える発光管１１と、発光部の周囲のうちの一部を覆い、発光部から射出した光を発光部へ向けて反射させる副反射鏡１３と、発光部から射出した光と、副反射鏡１３で反射した光とを反射させる主反射鏡１２と、第１面２１、及び第１面２１とは反対側の第２面２２を備え、発光管１１が配置される発光管配置部が形成された板状体１５と、を有し、副反射鏡１３の少なくとも一部は板状体１５の第１面２１側にあって、発光部の一部は板状体１５の第２面２２側にある。【選択図】図１
2010170857.tif 000002
【特許請求の範囲】
【請求項１】
光を射出する発光部を備える発光管と、
前記発光部の周囲のうちの一部を覆い、前記発光部から射出した光を前記発光部へ向けて反射させる副反射鏡と、
前記発光部から射出した光と、前記副反射鏡で反射した光とを反射させる主反射鏡と、
第１面、及び前記第１面とは反対側の第２面を備え、前記発光管が配置される発光管配置部が形成された板状体と、を有し、
前記副反射鏡の少なくとも一部は前記板状体の前記第１面側にあって、前記発光部の一部は前記板状体の前記第２面側にあることを特徴とする光源装置。
【請求項２】
前記主反射鏡は、中心軸を中心として所定の曲線を回転させることにより得られる回転曲面を、所定の面で切断することにより得られる曲面と略同じ形状をなし、
前記副反射鏡は、前記発光部に対して前記主反射鏡が設けられた側とは反対側に設けられることを特徴とする請求項１に記載の光源装置。
【請求項３】
前記板状体の前記第１面側の第１面側空間へ冷却風を供給するための第１面側冷却風供給部と、
前記副反射鏡の周囲を通過した前記冷却風を前記第１面側空間から排出させるための第１面側冷却風排出部と、を有することを特徴とする請求項２に記載の光源装置。
【請求項４】
前記発光管のうち前記第１面側の部分を収納する発光管収納部を有し、
前記第１面側空間は、前記第１面及び前記発光管収納部により囲まれた空間であって、
前記第１面側冷却風供給部及び前記第１面側冷却風排出部は、前記発光管収納部に形成されることを特徴とする請求項３に記載の光源装置。
【請求項５】
前記第１面側冷却風供給部へ前記冷却風を送る第１面側送風部を有することを特徴とする請求項３又は４に記載の光源装置。
【請求項６】
前記第２面及び前記主反射鏡は、前記板状体の前記第２面側の第２面側空間を取り囲むことを特徴とする請求項２〜５のいずれか一項に記載の光源装置。
【請求項７】
前記第２面側空間へ冷却風を供給するための第２面側冷却風供給部と、
前記発光部の周囲を通過した前記冷却風を前記第２面側空間から排出させるための第２面側冷却風排出部と、を有することを特徴とする請求項６に記載の光源装置。
【請求項８】
前記主反射鏡と、前記主反射鏡に対して被照射面側に設けられる光学素子とを固定する光学素子固定部を有し、
前記第２面側冷却風供給部及び前記第２面側冷却風排出部は、前記光学素子固定部に形成されることを特徴とする請求項７に記載の光源装置。
【請求項９】
前記第２面側冷却風供給部へ前記冷却風を送る第２面側送風部を有することを特徴とする請求項７又は８に記載の光源装置。
【請求項１０】
重力方向に対する前記発光管の向きを検出する姿勢検出部と、
前記姿勢検出部による検出結果に応じて、前記板状体の前記第１面側の第１面側空間へ供給する冷却風の風量と、前記板状体の前記第２面側の第２面側空間へ供給する冷却風の風量と、の少なくとも一方を調整する風量調整部と、を有することを特徴とする請求項１〜９のいずれか一項に記載の光源装置。
【請求項１１】
請求項１〜１０のいずれか一項に記載の光源装置と、
前記光源装置から射出した光を画像信号に応じて変調する空間光変調装置と、を有することを特徴とするプロジェクター。
【発明の詳細な説明】
【技術分野】
【０００１】
本発明は、光源装置及びプロジェクター、特に、リフレクターを有する光源装置の技術に関する。
【背景技術】
【０００２】
プロジェクターの光源として使用されるランプ、例えば超高圧水銀ランプ等の放電ランプには、発光管から射出した光を反射させるリフレクターが用いられている。プロジェクターにより効率良く明るい画像を得るために、従来、発光管から射出した光の利用効率を高めるための光源装置の構成が提案されている。例えば、主反射鏡であるリフレクターとは別に、発光管の発光部近傍に副反射鏡を設ける技術が提案されている（例えば、特許文献１参照）。副反射鏡で反射した光は、発光管を通過した後、主反射鏡にて前側へ向けて反射する。これにより、光源装置からの光を利用する光学系へ、発光管から射出した光を効率良く進行させることが可能となる。
【０００３】
【特許文献１】特開２００１−１０９０６８号公報
【発明の開示】
【発明が解決しようとする課題】
【０００４】
プロジェクターに用いられるランプは、供給された電気エネルギーの多くが熱となり高温となることから、冷却風などによる冷却が必要となる。副反射鏡を備える構成の場合、発光部表面のうち副反射鏡により覆われる部分について、冷却が困難となる。この場合、発光部表面のうち副反射鏡により覆われる部分と、それ以外の部分とで異なる放熱性を示すこととなるため、発光管の適切な温度調整が困難になるという問題を生じる。発光管のうち冷却が不十分な部分は、発光管を構成する透明部材が熱により結晶化し、白濁する場合が生じ得る。発光管により熱せられた空気は、重力方向下側に対して上側において多くなる。このため、机や台などに設置される通常状態と、天井に設置される天吊り状態とのいずれの姿勢も採り得るプロジェクターの場合、プロジェクターの姿勢に関わらず発光管を適切に温度調整することが困難となる。本発明は、上述の問題に鑑みてなされたものであり、発光管の適切な温度調整を可能とする光源装置、及びその光源装置を有するプロジェクターを提供することを目的とする。
【課題を解決するための手段】
【０００５】
上述した課題を解決し、目的を達成するために、本発明に係る光源装置は、光を射出する発光部を備える発光管と、発光部の周囲のうちの一部を覆い、発光部から射出した光を発光部へ向けて反射させる副反射鏡と、発光部から射出した光と、副反射鏡で反射した光とを反射させる主反射鏡と、第１面、及び第１面とは反対側の第２面を備え、発光管が配置される発光管配置部が形成された板状体と、を有し、副反射鏡の少なくとも一部は板状体の第１面側にあって、発光部の一部は板状体の第２面側にあることを特徴とする。
【０００６】
板状体は、発光部のうち副反射鏡に覆われた部分を冷却するための冷却風経路と、副反射鏡に覆われた部分以外の部分を冷却するための冷却風経路とを仕切る役割を果たす。板状体により仕切られたそれぞれの空間について冷却風を供給することにより、発光部表面における放熱の非対称性を解消させ、発光管の適切な温度調整を可能とする。これにより、発光管の適切な温度調整を可能とする光源装置を得られる。発光管の適切な温度調整により、発光管の劣化を低減できる。
【０００７】
また、本発明の好ましい態様としては、主反射鏡は、中心軸を中心として所定の曲線を回転させることにより得られる回転曲面を、所定の面で切断することにより得られる曲面と略同じ形状をなし、副反射鏡は、発光部に対して主反射鏡が設けられた側とは反対側に設けられることが望ましい。これにより、薄型で、効率良く光を射出可能な光源装置を得られる。
【０００８】
また、本発明の好ましい態様としては、板状体の第１面側の第１面側空間へ冷却風を供給するための第１面側冷却風供給部と、副反射鏡の周囲を通過した冷却風を第１面側空間から排出させるための第１面側冷却風排出部と、を有することが望ましい。発光部のうち副反射鏡により覆われた部分において、発光部からの熱は、放射により副反射鏡へ伝えられる。第１面側空間において、第１面側冷却風供給部から第１面側冷却風排出部へ冷却風を通過させることにより、副反射鏡へ伝えられた発光部からの熱を放出させる。これにより、発光部を冷却できる。
【０００９】
また、本発明の好ましい態様としては、発光管のうち第１面側の部分を収納する発光管収納部を有し、第１面側空間は、第１面及び発光管収納部により囲まれた空間であって、第１面側冷却風供給部及び第１面側冷却風排出部は、発光管収納部に形成されることが望ましい。これにより、副反射鏡を冷却するための冷却風経路が形成され、副反射鏡の効率的な冷却が可能となる。
【００１０】
また、本発明の好ましい態様としては、第１面側冷却風供給部へ冷却風を送る第１面側送風部を有することが望ましい。第１面側送風部を用いて積極的に冷却風を供給することにより、発光管のさらに適切な温度調整を可能とする。
【００１１】
また、本発明の好ましい態様としては、第２面及び主反射鏡は、板状体の第２面側の第２面側空間を取り囲むことが望ましい。これにより、発光部のうち副反射鏡により覆われた部分以外の部分を冷却するための第２面側空間が形成される。
【００１２】
また、本発明の好ましい態様としては、第２面側空間へ冷却風を供給するための第２面側冷却風供給部と、発光部の周囲を通過した冷却風を第２面側空間から排出させるための第２面側冷却風排出部と、を有することが望ましい。第２面側空間において、第２面側冷却風供給部から第２面側冷却風排出部へ冷却風を通過させることで、発光部を冷却できる。
【００１３】
また、本発明の好ましい態様としては、主反射鏡と、主反射鏡に対して被照射面側に設けられる光学素子とを固定する光学素子固定部を有し、第２面側冷却風供給部及び第２面側冷却風排出部は、光学素子固定部に形成されることが望ましい。これにより、発光部を冷却するための冷却風経路が形成され、発光部の効率的な冷却が可能となる。
【００１４】
また、本発明の好ましい態様としては、第２面側冷却風供給部へ冷却風を送る第２面側送風部を有することが望ましい。第２面側送風部を用いて積極的に冷却風を供給することにより、発光管のさらに適切な温度調整を可能とする。
【００１５】
また、本発明の好ましい態様としては、重力方向に対する発光管の向きを検出する姿勢検出部と、姿勢検出部による検出結果に応じて、板状体の第１面側の第１面側空間へ供給する冷却風の風量と、板状体の第２面側の第２面側空間へ供給する冷却風の風量と、の少なくとも一方を調整する風量調整部と、を有することが望ましい。姿勢検出部による検出結果に応じて冷却風の風量を調整することにより、発光管の向きに関わらず、発光管の適切な温度調整が可能となる。
【００１６】
さらに、本発明に係るプロジェクターは、上記の光源装置と、光源装置から射出した光を画像信号に応じて変調する空間光変調装置と、を有することを特徴とする。上記の光源装置を用いることで、発光管の適切な温度調整により、発光管の劣化を低減できる。これにより、高い信頼性のプロジェクターを得られる。
【発明を実施するための最良の形態】
【００１７】
以下に図面を参照して、本発明の実施例を詳細に説明する。
【実施例１】
【００１８】
図１は、本発明の実施例１に係る光源装置１０の斜視概略構成を示す。図２は、光源装置１０の断面概略構成を示す。発光管１１は、例えば、超高圧水銀ランプである。発光管１１の内部は、例えば石英部材を用いて封止されている。発光部３０は、発光管１１のうち第１封止部３１及び第２封止部３２に挟まれた球状部分であって、光を射出する。発光部３０の内部には、一対の電極が配置される放電空間が形成されている。第１封止部３１は、発光管１１のうち、発光部３０に対して前側に設けられた円筒形状の部分である。第２封止部３２は、発光管１１のうち、発光部３０に対して後側に設けられた円筒形状の部分である。なお、「前側」とは、発光部から見て被照射面がある側をいうものとし、「後側」とは、発光部に対して前側とは反対の側をいうものとする。
【００１９】
主反射鏡１２は、発光部３０から射出した光と、副反射鏡１３で反射した光とを反射させ、前側へ進行させる。主反射鏡１２は、中心軸ＡＸを中心として楕円を回転させることにより得られる回転楕円面を、所定の平面で切断することにより得られる曲面と略同じ形状をなしている。発光管１１は、中心軸ＡＸ上に配置されている。本実施例では、所定の平面とは、中心軸ＡＸを含む平面である。なお、所定の平面は、光の利用効率を上げるために、中心軸ＡＸを含む平面以外の面としても良い。所定の平面は、例えば、中心軸ＡＸに平行な平面や、中心軸ＡＸに対して角度を持たせた平面であっても良い。
【００２０】
主反射鏡１２は、所望の形状に成形された基材の表面に高反射性部材、例えば誘電体多層膜や金属部材を蒸着させることにより構成されている。高反射性部材は、可視領域の波長の光について高い反射率である部材を用いる。回転楕円面を切断した形状の主反射鏡１２を用いることにより、光源装置１０は、薄型な構成とすることができる。なお、主反射鏡１２は、回転楕円面を切断することにより得られる曲面と略同じ形状に限られない。例えば、放物線などの所定の曲線を回転させることにより得られる回転曲面を切断することにより得られる曲面と略同じ形状や、自由曲面形状などとしても良い。
【００２１】
副反射鏡１３は、発光部３０から射出した光を発光部３０へ向けて反射させる。副反射鏡１３は、発光部３０の周囲のうち、発光部３０に対して主反射鏡１２が設けられた側とは反対側の部分を覆う。副反射鏡１３と発光部３０との間には、隙間が設けられている。副反射鏡１３は、所望の形状に成形された基材の表面に高反射性部材、例えば誘電体多層膜や金属部材を蒸着させることにより構成されている。高反射性部材は、可視領域の波長の光について高い反射率である部材を用いる。主反射鏡１２と副反射鏡１３とを設けることにより、光源装置１０からの光を利用する光学系へ、発光部３０から射出した光を効率良く進行させることが可能となる。
【００２２】
固着部２７は、主反射鏡１２のうち後側の基部２０に設けられている。固着部２７は、第２封止部３２と、主反射鏡１２と、副反射鏡１３とを固着する。固着部２７は、例えば、セメントを固化させて構成されている。なお、副反射鏡１３は、固着部２７により基部２０に固定される場合に限られず、固定する態様は適宜変更しても良い。光学素子固定部１４は、主反射鏡１２の前側に設けられている。光学素子固定部１４は、主反射鏡１２と、主反射鏡１２に対して前側に設けられる不図示の光学素子とを固定する。光学素子は、例えば、凹レンズである。板状体１５は、第１面２１、及び第１面２１とは反対側の第２面２２を備える平行平板である。板状体１５は、高い耐熱性の部材、例えばセラミックスやモールド樹脂を用いて構成されている。なお、図２に示す断面は、中心軸ＡＸを含み、かつ第１面２１及び第２面２２に略垂直な面である。
【００２３】
図３は、第１面２１側における板状体１５の平面構成を示す。板状体１５は、板状体１５の外縁から内部へ切り込ませて形成された切り込み部３３を有する。切り込み部３３は、発光管１１及び副反射鏡１３の形状に合わせて、発光管１１及び副反射鏡１３をはめ込み可能に形成されている。なお、発光管配置部は、切り込み部３３である他、発光管１１及び副反射鏡１３の形状に合わせて形成された開口であっても良い。
【００２４】
板状体１５は、副反射鏡１３の端部と略同じ高さの位置に配置されている。発光部３０のうち、副反射鏡１３に覆われた部分は、板状体１５の第１面２１側にある。発光部３０のうち、副反射鏡１３に覆われた部分以外の部分は、板状体１５の第２面２２側にある。発光管１１の周囲の空間は、板状体１５によって、第１面２１側と第２面２２側とに仕切られている。主反射鏡１２及び光学素子固定部１４は、第２面２２上に設けられている。
【００２５】
発光管１１のうち第２面２２側の部分は、第２面２２、主反射鏡１２、光学素子固定部１４、光学素子によって囲まれた第２面側空間にある。第２面側冷却風供給部２３と、第２面側冷却風排出部２４とは、光学素子固定部１４の一部を切り欠いて形成されている。第２面側冷却風供給部２３は、第２面側空間へ冷却風を供給するための開口である。第２面側冷却風排出部２４は、発光部３０の周囲を通過した冷却風を第２面側空間から排出させるための開口である。第２面側冷却風供給部２３、第２面側冷却風排出部２４は、いずれも、光学素子固定部１４の切り欠いた部分と、主反射鏡１２の端部と、第２面２２とによって構成されている。
【００２６】
第２面側冷却風供給部２３及び第２面側冷却風排出部２４は、発光管１１を介して互いに対向する位置に設けられている。なお、第２面側冷却風供給部２３、第２面側冷却風排出部２４は、光学素子固定部１４の一部を切り欠いたものとする他、光学素子固定部１４内に開口を形成したものであっても良い。
【００２７】
枠体１６は、第１面２１下に設けられている。発光管１１のうち第１面２１側の部分は、第１面２１及び枠体１６によって囲まれた第１面側空間にある。枠体１６は、発光管１１のうち第１面２１側の部分を収納する発光管収納部として機能する。
【００２８】
図４は、枠体１６の斜視構成を示す。第１面側冷却風供給部２５と、第１面側冷却風排出部２６とは、枠体１６の一部を切り欠いて形成されている。第１面側冷却風供給部２５は、第１面側空間へ冷却風を供給するための開口である。第１面側冷却風排出部２６は、副反射鏡１３の周囲を通過した冷却風を第１面側空間から排出させるための開口である。第１面側冷却風供給部２５、第１面側冷却風排出部２６は、いずれも、枠体１６の切り欠いた部分と第１面２１とによって構成されている。
【００２９】
第１面側冷却風供給部２５及び第１面側冷却風排出部２６は、発光管１１を介して互いに対向する位置に設けられている。なお、第１面側冷却風供給部２５、第１面側冷却風排出部２６は、枠体１６の一部を切り欠いたものとする他、枠体１６内に開口を形成したものであっても良い。枠体１６は、板状部材を組み合わせて構成される。なお、枠体１６を構成する板状部材の一つとして、プロジェクターの筐体の一部を使用しても良い。
【００３０】
図５は、送風機３５から供給された冷却風による発光部３０の冷却について説明するものである。送風機３５は、第１面側冷却風供給部２５及び第２面側冷却風供給部２３へ冷却風を送る。送風機３５は、第１面側送風部及び第２面側送風部として機能する。送風機３５から第１面側冷却風供給部２５へ供給された冷却風は、副反射鏡１３の周囲を通過する。副反射鏡１３から熱を奪った空気は、第１面側冷却風排出部２６から外部へ排出される。枠体１６及び第１面２１により副反射鏡１３を冷却するための冷却風経路を形成することで、副反射鏡１３の効率的な冷却が可能となる。発光部３０のうち副反射鏡１３により覆われた部分において、発光部３０からの熱は、放射により副反射鏡１３へ伝えられる。副反射鏡１３を冷却することにより、発光部３０の特に副反射鏡１３で覆われた部分を冷却することができる。
【００３１】
送風機３５から第２面側冷却風供給部２３へ供給された冷却風は、発光部３０のうち副反射鏡１３に覆われた部分以外の部分の周囲を通過する。発光部３０から熱を奪った空気は、第２面側冷却風排出部２４から外部へ排出される。第２面２２、主反射鏡１２、光学素子固定部１４により発光部３０を冷却するための冷却風経路を形成することで、発光部３０の特に副反射鏡１３で覆われていない部分の冷却が可能となる。このようにして、熱源となる発光部３０を効率良く冷却することが可能となる。
【００３２】
板状体１５は、発光部３０のうち副反射鏡１３に覆われた部分を冷却するための冷却風経路と、副反射鏡１３に覆われた部分以外の部分を冷却するための冷却風経路とを仕切る役割を果たす。板状体１５により仕切られたそれぞれの空間に冷却風を供給することにより、発光部３０表面における放熱の非対称性を解消させ、発光管１１の適切な温度調整を可能とする。これにより、発光管１１の適切な温度調整が可能となるという効果を奏する。発光管１１の適切な温度調整により、発光管１１の劣化を低減できる。例えば、発光管１１を構成する透明部材について、結晶化による白濁の発生を低減させることができる。
【００３３】
冷却風は、送風機３５からの送風により供給する場合に限られず、例えば、発光管１１の周囲の空気を吸引することにより、外部から取り込んだ空気を供給することとしても良い。第１面側冷却風供給部２５、第１面側冷却風排出部２６、第２面側冷却風供給部２３、第２面側冷却風排出部２４は、空気を通過させる網状部材で覆うこととしても良い。これにより、冷却風の供給を可能とし、かつ発光管１１が破損した場合における破片の飛散を防止するための構造とすることも可能となる。
【実施例２】
【００３４】
図６は、本発明の実施例２に係る光源装置４０の概略構成を示す。本実施例に係る光源装置４０は、姿勢検出部４４による検出結果に応じて冷却風の風量を調整することを特徴とする。上記の実施例１と同一の部分には同一の符号を付し、重複する説明を省略する。第１送風機４１は、第１面側冷却風供給部２５へ冷却風を送る第１面側送風部として機能する。第２送風機４２は、第２面側冷却風供給部２３へ冷却風を送る第２面側送風部として機能する。
【００３５】
姿勢検出部４４は、重力方向に対する発光管１１の向きを検出する。風量調整部４３は、姿勢検出部４４による検出結果に応じて、第１送風機４１から送る冷却風の風量と、第２送風機４２から送る冷却風の風量と、の少なくとも一方を調整する。
【００３６】
例えば、発光部３０のうち副反射鏡１３に覆われた部分以外の部分の側が重力方向上側であって、副反射鏡１３に覆われた部分の側が重力方向下側であることが、姿勢検出部４４により検出されている場合を第一の姿勢とする。また、発光部３０のうち副反射鏡１３に覆われた部分以外の部分の側が重力方向下側であって、副反射鏡１３に覆われた部分の側が重力方向上側であることが、姿勢検出部４４により検出されている場合を第二の姿勢とする。
【００３７】
ここで、姿勢検出部４４により第二の姿勢であることが検出されたとする。この場合、発光部３０の副反射鏡１３に覆われた部分の側では、熱せられた空気が第一の姿勢であるときよりも多くなる。従って、風量調整部４３は、第１送風機４１から送る冷却風の風量を第一の姿勢であるときより多くする調整を行う。また、姿勢検出部４４により第一の姿勢であることが検出されたとする。この場合、風量調整部４３は、第２送風機４２から送る冷却風の風量を第二の姿勢であるときより多くする調整を行う。
【００３８】
このように、姿勢検出部４４による検出結果に応じて冷却風の風量を調整することにより、発光管１１の向きに関わらず、発光管１１の適切な温度調整が可能となるという効果を奏する。本実施の形態に係る光源装置４０は、特に、机や台などに設置される通常状態と、天井に設置される天吊り状態とのいずれの姿勢も採り得るプロジェクターに設置される場合に適している。なお、送風機は２つとする場合に限られず、第１面側冷却風供給部２５へ送る冷却風の風量と第２面側冷却風供給部２３へ送る冷却風の風量との調整が可能であれば、送風機は１つであっても良い。
【実施例３】
【００３９】
図７は、本発明の実施例３に係るプロジェクター６０の概略構成を示す。プロジェクター６０は、不図示のスクリーンへ光を投写し、スクリーンで反射する光を観察することで画像を鑑賞するフロント投写型のプロジェクターである。プロジェクター６０は、上記実施例１に係る光源装置１０を有する。ここでは、光源装置１０は、図１に示す構成を上から見た状態を示している。
【００４０】
光源装置１０は、赤色（Ｒ）光、緑色（Ｇ）光、青色（Ｂ）光を含む光を射出する。凹レンズ７８は、光源装置１０に固定された光学素子である。凹レンズ７８は、光源装置１０から射出した光を平行化させる。第１インテグレーターレンズ６１及び第２インテグレーターレンズ６２は、アレイ状に配列された複数のレンズ素子を有する。第１インテグレーターレンズ６１は、凹レンズ７８からの光束を複数に分割する。第１インテグレーターレンズ６１の各レンズ素子は、凹レンズ７８からの光束を第２インテグレーターレンズ６２のレンズ素子近傍にて集光させる。第２インテグレーターレンズ６２のレンズ素子は、第１インテグレーターレンズ６１のレンズ素子の像を空間光変調装置上に形成する。
【００４１】
２つのインテグレーターレンズ６１、６２を経た光は、偏光変換素子６３にて特定の振動方向の直線偏光に変換される。重畳レンズ６４は、第１インテグレーターレンズ６１の各レンズ素子の像を空間光変調装置上で重畳させる。第１インテグレーターレンズ６１、第２インテグレーターレンズ６２及び重畳レンズ６４は、光源装置１０からの光の強度分布を空間光変調装置上にて均一化させる。重畳レンズ６４からの光は、第１ダイクロイックミラー６５に入射する。第１ダイクロイックミラー６５は、Ｒ光を反射し、Ｇ光及びＢ光を透過させる。第１ダイクロイックミラー６５へ入射したＲ光は、第１ダイクロイックミラー６５、反射ミラー６６でそれぞれ光路が折り曲げられ、Ｒ光用フィールドレンズ６７Ｒへ入射する。Ｒ光用フィールドレンズ６７Ｒは、反射ミラー６６からのＲ光を平行化し、Ｒ光用空間光変調装置６８Ｒへ入射させる。
【００４２】
Ｒ光用空間光変調装置６８Ｒは、Ｒ光を画像信号に応じて変調する空間光変調装置であって、透過型液晶表示装置である。Ｒ光用空間光変調装置６８Ｒに設けられた不図示の液晶パネルは、２つの透明基板の間に、光を画像信号に応じて変調するための液晶層を封入している。Ｒ光用空間光変調装置６８Ｒで変調されたＲ光は、色合成光学系であるクロスダイクロイックプリズム６９へ入射する。
【００４３】
第１ダイクロイックミラー６５を透過したＧ光及びＢ光は、第２ダイクロイックミラー７０へ入射する。第２ダイクロイックミラー７０は、Ｇ光を反射し、Ｂ光を透過させる。第２ダイクロイックミラー７０へ入射したＧ光は、第２ダイクロイックミラー７０で光路が折り曲げられ、Ｇ光用フィールドレンズ６７Ｇへ入射する。Ｇ光用フィールドレンズ６７Ｇは、第２ダイクロイックミラー７０からのＧ光を平行化し、Ｇ光用空間光変調装置６８Ｇへ入射させる。Ｇ光用空間光変調装置６８Ｇは、Ｇ光を画像信号に応じて変調する空間光変調装置であって、透過型液晶表示装置である。Ｇ光用空間光変調装置６８Ｇで変調されたＧ光は、クロスダイクロイックプリズム６９のうちＲ光が入射する面とは異なる面へ入射する。
【００４４】
第２ダイクロイックミラー７０を透過したＢ光は、リレーレンズ７１を透過した後、反射ミラー７２での反射により光路が折り曲げられる。反射ミラー７２からのＢ光は、さらにリレーレンズ７３を透過した後、反射ミラー７４での反射により光路が折り曲げられ、Ｂ光用フィールドレンズ６７Ｂへ入射する。Ｒ光の光路及びＧ光の光路よりもＢ光の光路が長いことから、空間光変調装置における照明倍率を他の色光と等しくするために、Ｂ光の光路には、リレーレンズ７１、７３を用いるリレー光学系が採用されている。
【００４５】
Ｂ光用フィールドレンズ６７Ｂは、反射ミラー７４からのＢ光を平行化し、Ｂ光用空間光変調装置６８Ｂへ入射させる。Ｂ光用空間光変調装置６８Ｂは、Ｂ光を画像信号に応じて変調する空間光変調装置であって、透過型液晶表示装置である。Ｂ光用空間光変調装置６８Ｂで変調されたＢ光は、クロスダイクロイックプリズム６９のうちＲ光が入射する面、Ｇ光が入射する面とは異なる面へ入射する。
【００４６】
クロスダイクロイックプリズム６９は、互いに略直交する２つのダイクロイック膜７５、７６を有する。第１ダイクロイック膜７５は、Ｒ光を反射し、Ｇ光及びＢ光を透過させる。第２ダイクロイック膜７６は、Ｂ光を反射し、Ｒ光及びＧ光を透過させる。クロスダイクロイックプリズム６９は、それぞれ異なる方向から入射したＲ光、Ｇ光及びＢ光を合成し、投写レンズ７７の方向へ射出する。投写レンズ７７は、クロスダイクロイックプリズム６９で合成された光をスクリーンの方向へ投写する。
【００４７】
プロジェクター６０は、上記の光源装置１０を用いることで、発光管１１（図１参照）の適切な温度制御により、発光管１１の劣化を低減できる。これにより、高い信頼性のプロジェクター６０を得られるという効果を奏する。プロジェクター６０は、上記実施例のいずれの光源装置を用いても良い。
【００４８】
プロジェクター６０は、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。プロジェクター６０は、色光ごとに空間光変調装置を備える構成に限られない。プロジェクター６０は、一の空間光変調装置により２つ又は３つ以上の色光を変調する構成としても良い。プロジェクター６０は、空間光変調装置を用いる場合に限られない。プロジェクター６０は、画像情報を持たせたスライドを用いるスライドプロジェクターであっても良い。プロジェクター６０は、スクリーンの一方の面に光を供給し、スクリーンの他方の面から射出される光を観察することで画像を鑑賞する、いわゆるリアプロジェクターであっても良い。本発明に係る光源装置は、プロジェクター６０に用いるものに限られない。光源装置は、例えば、懐中電灯等の照明機器や、自動車のヘッドライト等に適用しても良い。
【産業上の利用可能性】
【００４９】
以上のように、本発明に係る光源装置は、プロジェクターに用いる場合に適している。
【図面の簡単な説明】
【００５０】
【図１】本発明の実施例１に係る光源装置の斜視概略構成を示す図。
【図２】光源装置の断面概略構成を示す図。
【図３】第１面側における板状体の平面構成を示す図。
【図４】枠体の斜視構成を示す図。
【図５】送風機から供給された冷却風による発光部の冷却について説明する図。
【図６】本発明の実施例２に係る光源装置の概略構成を示す図。
【図７】本発明の実施例３に係るプロジェクターの概略構成を示す図。
【符号の説明】
【００５１】
１０  光源装置、１１  発光管、１２  主反射鏡、１３  副反射鏡、１４  光学素子固定部、１５  板状体、１６  枠体、２０  基部、ＡＸ  中心軸、２１  第１面、２２  第２面、２３  第２面側冷却風供給部、２４  第２面側冷却風排出部、２５  第１面側冷却風供給部、２６  第１面側冷却風排出部、２７  固着部、３０  発光部、３１  第１封止部、３２  第２封止部、３３  切り込み部、３５  送風機、４０  光源装置、４１  第１送風機、４２  第２送風機、４３  風量調整部、４４  姿勢検出部、６０  プロジェクター、６１  第１インテグレーターレンズ、６２  第２インテグレーターレンズ、６３  偏光変換素子、６４  重畳レンズ、６５  第１ダイクロイックミラー、６６  反射ミラー、６７Ｒ  Ｒ光用フィールドレンズ、６７Ｇ  Ｇ光用フィールドレンズ、６７Ｂ  Ｂ光用フィールドレンズ、６８Ｒ  Ｒ光用空間光変調装置、６８Ｇ  Ｇ光用空間光変調装置、６８Ｂ  Ｂ光用空間光変調装置、６９  クロスダイクロイックプリズム、７０  第２ダイクロイックミラー、７１、７３  リレーレンズ、７２、７４  反射ミラー、７５  第１ダイクロイック膜、７６  第２ダイクロイック膜、７７  投写レンズ、７８  凹レンズ
【図１】
2010170857.tif 000003
【図２】
2010170857.tif 000004
【図３】
2010170857.tif 000005
【図４】
2010170857.tif 000006
【図５】
2010170857.tif 000007
【図６】
2010170857.tif 000008
【図７】
2010170857.tif 000009